(57)【要約】所定のテーマ又はテーマの集合を扱っている複数の出版物間のセグメントを検索し、それらのセグメントを作成されたカスタム電子ブックにコンパイルするシステムについて開示している。商業的環境においては、そのような作成されたカスタム電子ブックは、所定のテーマ又はテーマの集合に関心を示したユーザ又はユーザの集合に対して売り物として提供される。任意に、そのシステムは、ユーザの既存の収集にある出版物について認識していて、そのユーザのために作成されるカスタム電子ブックに重複する資料を含まないようにする。
2007522545.tif 000002
【特許請求の範囲】
【請求項１】
電子ブックシステムであって：
ユーザプロファイルに基づいて、複数の出版物のセグメントを突き止める検索器；及び  前記セグメントから電子ブックを作成する、前記検索器に動作可能であるように結合されているコンパイラ；
を有することを特徴とする電子ブックシステム。
【請求項２】
請求項１に記載の電子ブックシステムであって：
ユーザとのインタラクションに基づいて前記ユーザプロファイルを作成するマネージャ；
を更に有する、ことを特徴とする電子ブックシステム。
【請求項３】
請求項１に記載の電子ブックシステムであって、前記コンパイラにより作成される前記電子ブックについてユーザに更に知らせる、ことを特徴とする電子ブックシステム。
【請求項４】
請求項３に記載の電子ブックシステムであって、前記ユーザへの前記電子ブックの伝送を更に行う、ことを特徴とする電子ブックシステム。
【請求項５】
請求項４に記載の電子ブックシステムであって、前記伝送は前記ユーザによる支払いと引き換えに行われる、ことを特徴とする電子ブックシステム。
【請求項６】
請求項１に記載の電子ブックシステムであって、ユーザの続く活動に基づいて前記ユーザプロファイルを修正する、ことを特徴とする電子ブックシステム。
【請求項７】
請求項１に記載の電子ブックシステムであって、ユーザによる選択に基づいて前記電子ブックを更に修正する、ことを特徴とする電子ブックシステム。
【請求項８】
請求項１に記載の電子ブックシステムであって、前記検索器は前記セグメントを突き止めるようにインターネットサイトを検索する、ことを特徴とする電子ブックシステム。
【請求項９】
請求項１に記載の電子ブックシステムであって、前記コンパイラは、ユーザの好みに基づいて前記電子ブックをフォーマットする、ことを特徴とする電子ブックシステム。
【請求項１０】
請求項１に記載の電子ブックシステムであって、前記ユーザプロファイルは一般のユーザのプロファイルに対応する、ことを特徴とする電子ブックシステム。
【請求項１１】
請求項１に記載の電子ブックシステムであって、前記検索器は、ユーザプロファイルの階層に基づいて前記の出版物のセグメントを更に突き止める、ことを特徴とする電子ブックシステム。
【請求項１２】
請求項１に記載の電子ブックシステムであって、前記ユーザプロファイルは：
興味をもたれているテーマ；
キーワード；
著者；及び
発行者；
の少なくとも一を有する、ことを特徴とする電子ブックシステム。
【請求項１３】
請求項１１に記載の電子ブックシステムであって、前記ユーザプロファイルは：
最大セグメント長さ；
最大複雑度レベル；及び
最大テキスト対フィギュア比；
の少なくとも一を有する、ことを特徴とする電子ブックシステム。
【請求項１４】
請求項１に記載の電子ブックシステムであって、前記ユーザプロファイルは、ユーザにより既に処理されたセグメントの識別を有する、ことを特徴とする電子ブックシステム。
【請求項１５】
請求項１に記載の電子ブックシステムであって、前記コンパイラは、前記電子ブックにおける前記ユーザプロファイルに対応する選択セグメントを与えるために前記セグメントを更にフィルタリングする、ことを特徴とする電子ブックシステム。
【請求項１６】
電子ブックシステムを作成する方法であって：
ユーザに対応するセグメントのための複数の出版物間で検索段階；及び
前記電子ブックを作成するように前記セグメントの一部又は全てをコンパイルする段階；
を有することを特徴とする方法。
【請求項１７】
請求項１６に記載の方法であって：
ユーザとのインタラクションに基づいて前記ユーザプロファイルを作成する段階；
を更に有する、ことを特徴とする方法。
【請求項１８】
請求項１６に記載の方法であって：
ユーザのクラスの判定された好みに基づいて前記ユーザプロファイルを作成する段階；  を更に有する、ことを特徴とする方法。
【請求項１９】
請求項１６に記載の方法であって：
売り物として前記電子ブックを提供する段階；
を更に有する、ことを特徴とする方法。
【請求項２０】
請求項１６に記載の方法であって：
ユーザとのインタラクションに基づいて前記電子ブックを修正する段階；
を更に有する、ことを特徴とする方法。  
【請求項２１】
請求項１６に記載の方法であって：
１つ又はそれ以上のユーザの活動に基づいて前記ユーザプロファイルを修正する段階；  を更に有する、ことを特徴とする方法。
【発明の詳細な説明】
【技術分野】
【０００１】
本発明は、電子ブックの分野に関し、特に、ユーザに関心のある章をコンパイルすることによりカスタマイズされた電子ブックを作成するための方法及びシステムに関する。
【背景技術】
【０００２】
電子ブック（ｅブック）は益々普及してきている。ユーザは、インターネットにより電子ブックを購入し、電子ブックの一部を選択することができる。電子ブックの選択された一部又は章の購入は、特に、ユーザに特定の興味のある参考資料又は資料を得るために特に有用な又は経済的なオプションである。例えば、学生は、課程中に教官が参照するテキストの章のみを購入することが可能である。魚釣りに熱心な人は、彼又は彼女の地域で見つけることが可能である魚について書かれた魚釣りの本の章のみを、又は、特定の装備についての章のみを購入することが可能である。美術愛好家は、その芸術家の生活について記載された章でなく、芸術家の作品について記載された章のみを購入することが可能である。
【０００３】
国際公開第９７／２２１００号パンフレット及び米国特許出願公開第９６／１９１１９号明細書においては、ユーザにカスタマイズされた電子ブックを作成するように１つ又はそれ以上の電子ブックからの章の選択を容易にするシステムについて記載されていて、ここでは、その文献の一部を援用することにより本発明の説明の一部を代替する。そのシステムにおいては、ユーザは、電子ブックを通してスキャンし、興味のある章又はページを特定し、選択された章又はページを含む新しい電子ブックを作成される。
【０００４】
しかしながら、本が興味のある特定のトピックスを含むかどうかを判定するように、典型的な期間内に、ユーザは各々のブックを見つけ、各々のブック又は各々のブックのコンテンツの各々の索引又はテーブルをスキャンし、次いで、そのトピックスが実際に記載されているか又は単に触れられているだけであるかを判定するように見つけたページをスキャンする等、行う必要があるため、マニュアルのカスタム電子ブック作成処理は扱い難く、不効率である。ユーザが特定のトピックスに遅れをとりたくないと思う場合、この処理は、典型的には、予測されるその研究の分野の新しい資料の発行割合に応じて、定期的に繰り返される。
【特許文献１】国際公開第９７／２２１００号パンフレット
【特許文献２】米国特許出願公開第９６／１９１１９号明細書
【発明の開示】
【発明が解決しようとする課題】
【０００５】
本発明の目的は、カスタマイズされた電子ブックの作成の自動化である。本発明の他の目的は、ユーザプロファイルに基づいてカスタマイズされた電子ブックの作成の自動化である。本発明の他の目的は、カスタマプロファイルに基づいて、見込み客にカスタマイズされた電子ブックを供給することにより、電子ブックの売り上げを伸ばす方法を提供することである。
【課題を解決するための手段】
【０００６】
上記目的及び他の目的は、所定のテーマ又はテーマの集合を扱っている出版物のセグメントを検索し、それらのセグメントを作成されたカスタム電子ブックにコンパイルするシステムを提供することにより達成される。商業的環境では、そのようなカスタム的に作成される電子ブックは、特定のテーマ又はテーマの集合に興味を示してきたユーザ又はユーザの集合に対して募集売り出しされることが可能である。任意に、そのシステムは、ユーザの既存の収集にある出版物について認識していて、そのユーザのために作成されるカスタム電子ブックに重複する資料を含まないようにする。
【０００７】
本発明については、１社又はそれ以上の発行元からユーザへの情報提供者のパラダイムを用いて示される。その情報提供者は、例えば、オンラインブックストア、キオスクを含む従来の書店等であることが可能である。１社又はそれ以上の発行元は、電子ブック又は電子ブックの一部、若しくは、何れの形式の出版された資料を配給するように許可されたパーティーを含む。このような開示を調べるとき、当業者は、他のアプリケーション及び構成のみならず、第三者発行元の要求を予め回避するように、ユーザのところでのそのシステムの設置及び使用を含む、本発明の他のアプリケーション及び構成が可能であることを理解するであろう。
【発明を実施するための最良の形態】
【０００８】
図１は、本発明に従った電子ブック作成システム１００の例示としてのブロック図である。検索器１３０は、ユーザプロファイル１２０に基づいて、１つ又はそれ以上のテーマを扱っている出版物のセグメントを検索する。ネットワーク１９０は、１つ又はそれ以上の出版物のデータベース１８０へのアクセスを検索器１３０に与える。本発明の目的のために、用語“データベース”は、資料へのアクセスを容易にする何れの資料の収集を含み、そして、例えば、出版された資料を有する１つ又はそれ以上のウェブページを含む。
【０００９】
検索器１３０が出版物のセグメントを突き止めるとき、その検索器はコンパイラ１４０にそのセグメントの識別子を供給する。コンパイラ１４０は、電子ブックに検索器１３０により識別された１つ又はそれ以上のセグメントを組み合わせるようにし、電子ブックはディスク１５０として示されているが、電子ブックは、ユーザに対してダウンロードされるまで、実際にはコンパイルされたフォームにされない‘仮想電子ブック’を含む、何れの形式であることが可能である。好ましくは、検索器１３０はまた、コンパイラにより各々のセグメントの可能性の選択であって、例えば、セグメントのサイズ、セグメントの資料と検索基準との間の対応度を表す適合指数、資料の源に基づく品質指数、資料の相対的コストを表すコスト指数等の可能性の選択を容易にする補助情報を与える。
【００１０】
マネージャ１１０は、検索器にユーザプロファイルを与え、ユーザターミナル１６０で示されているユーザにコンパイラ１４０からコンパイルされた電子ブックを提供する。本発明の好ましい実施形態においては、マネージャ１１０は、初期的には、ユーザが関心のあるテーマに関する明示的選択又は明示的質問へのユーザの応答に基づいて、ユーザプロファイル１２０を作成する。例えば、ユーザが漁師である場合、ユーザが関心のあるテーマとしては、‘艤装’又は‘キャスティング’のテーマを含む可能性がある。ユーザは、複数のテーマが単一のプロファイルに含まれるかどうか、又は、別個のプロファイルが各々のテーマのために与えられるかどうかを判定するオプションを有する。ユーザが、ユーザプロファイルに艤装及びキャスティングの両方を有する場合、結果として得られる電子ブックは艤装及びキャスティングを扱うセグメントを含むことが可能である。ユーザは、単一の又は複数のテーマの何れの組み合わせを有する多くのプロファイルを有することが可能である。したがって、好ましい実施形態におけるマネージャ１１０は、当該技術分野では一般的な機械学習技術を用いて、続くユーザの経験に基づいて、ユーザプロファイルを修正し、改善する。ユーザはまた、固定されたプロファイル、若しくは固定プロファイル及び機械変換可能プロファイルの組み合わせを維持するオプションが与えられる。何れの多様な技術は、キーワードの識別、キーワード間のブール接続、前に取得された出版物又は出版物のセグメントの識別等を含む、関心を持たれているテーマを識別するように用いられることが可能である。
【００１１】
検索器１３０は、好ましくは、ユーザプロファイルに対応する資料を有するサイトを突き止めるためにウェブサイトをスキャンするように、当該技術分野で一般的な技術を用いて、“ウェブクローラ”として具現化される。特定の実施形態に依存して、マネージャ１１０は、検索器１３０が用いるユーザプロファイル１２０におけるテーマのリストを単に提供することが可能であり、又は、マネージャ１３０は、検索器１３０と組み合わされて機能し、そのプロファイル１２０に基づいて、検索表現を作成するタスク等を実行し、検索結果に基づいて、検索表現を改善すること等が可能である。
【００１２】
同様に、マネージャ１１０は、作成されたカスタム電子ブックに含まれる識別されたセグメントを選択するように、コンパイラ１４０と協働して機能することが可能である。本発明の好ましい実施形態においては、マネージャ１１０はまた、選択及びコンパイル処理のための選好に関してユーザから情報を収集する。ユーザは、各々の個別のセグメントの最大長さ、最大語対フィギュア比、最大コスト対ページ比等を特定することが可能である。ユーザはまた、特定の著者、編集者、発行者等を、発行者の年齢、言語等を含む又は含まないに拘わらず、特定することが可能である。好ましい実施形態に依存して、それらの選択基準の一部又は全てが検索器３０に組み込まれることが可能であり、又は、個別の選択モジュール（図示せず）を用いることが可能である。
【００１３】
任意に、マネージャ１７０として表される、ユーザの出版物の現収集を認識する。ユーザは、そのユーザの収集における何れの既存の出版物についてマネージャ１１０に明示的に情報を与えるオプションを与えられる。更に、マネージャ１１０は、そのようにして、マネージャがユーザに対して大いに与えられた電子ブックのコンテンツの記録を維持し、更に下で説明するように、ユーザが“私は既に持っている”として提供された電子ブックにおけるセグメントを識別した場合、マネージャ１１０は、同様に、この情報を維持する。マネージャ１１０と結合されたコンパイラ１４０及び／又は検索器１３０は、ユーザの収集に存在するとして現在認識されている何れのセグメントを将来の電子ブックから除外し、そうでない場合、ユーザにより命令される。
【００１４】
真にデザインされたカスタムコンパイルを与えるように、ユーザはまた、好みのフォント、好みの表示ページサイズ、コンテンツの索引又はテーブルを含むかどうか、又はそれらコンテンツの索引及びテーブルの両方を含むかどうか、単一の参照部分を作成するようにセグメントに挙げられている何れの参照を統合するかどうかを識別する機会が与えられる。
【００１５】
電子ブックがコンパイルされるとき、又は、上記のように、‘仮想的にコンパイルされる’とき、マネージャ１１０は、そのようにデザインされたカスタム電子ブックを提供するように、参照番号１６０においてユーザとコンタクトをとるようになっている。好ましくは、マネージャはコンテンツのテーブルを与え、選択されたセグメントをユーザが予め見ることを可能にする。ユーザは、提供される収集からセグメントを除去するオプションを有し、更なる選択を容易にするように、その除去に対して１つ又はそれ以上の理由を与えることができる。例えば、上記のように、ユーザは、ユーザが既に処理した資料を識別することができる。ユーザは、資料が過剰に詳細である、十分に詳細でない、又は期限切れ等として識別することが可能であり、そのシステムは、将来、同様の資料をフィルタリングするように機会学習技術を適用することが可能である。同様に、ユーザは、“承認”又は“拒絶”を単に示すことが可能であり、そのシステムは、ユーザの好き嫌いにおける傾向を判定することに基づいて、認識を構築することができる。
【００１６】
ユーザが電子ブックを取得するように選択する場合、マネージャ１１０は、物理媒体１５０に電子ブックを転送すること、ネットワーク１９０を介して電子的に電子ブックを転送すること、又はそれらの組み合わせにより、典型的には無償で、ユーザに電子ブックを供給する。データベース１８０からセグメントを取得することに関連してコストが発生する場合、料金はそれらのコストに含まれ、電子ブックの発行者は、発行されたセグメントについてのデータベースの提供者に支払う。そのシステム１００がユーザのシステム１６０に位置付けられ、電子ブックの第三者の提供者を選択しない場合、そのシステム１００は、取得されたセグメントについてのデータベース１８０の提供者への送金を、直接、行う。
【００１７】
上記説明は、本発明の原理についての例示を単に示したものである。それ故、上記においては明示的に説明されず又は図示されていないが、本発明の範囲及び主旨から逸脱することなく、本発明の原理を具現化する種々の構成を当業者が考案することが可能であることが理解できるであろう。例えば、本発明は、単一のユーザのプロファイルを用いることについて提供されているが、商業的関心は、一般の複数のユーザプロファイルを作成することが有利であることを認識することができ、各々のプロファイルに適合するように、顧客に結果として得られる電子ブックを提供することを可能にする。それらのプロファイルはまた、階層的方式で用いられることが可能であり、一般のプロファイルはセグメントの収集を認識するように用いられ、個々のプロファイルは、個別の選択をなすように収集をフィルタリングし、それにより、ユーザのグループが関心を有する傾向にあるセグメントを見つけることにより検索時間を最適化し、それ故、そのグループ内の各々の個人のためのそれらのセグメントのみを検索することが可能である。同様に、一般のプロファイルは、検索処理を更に最適化するように多層の階層を構成することが可能である。上記の及び他のシステム構成及び最適な特徴については、本明細書の開示に照らして、当業者に理解されるであろうし、それらは、同時提出の特許請求の範囲における範囲内に包含されるものである。
【図面の簡単な説明】
【００１８】
【図１】本発明に従った電子ブック作成システムの例示としてのブロック図である。
【図１】
2007522545.tif 000003
【国際調査報告】
2007522545.tif 000004
2007522545.tif 000005
2007522545.tif 000006